(57)【特許請求の範囲】
【請求項１】
窓枠に取付けたヒンジを中心として障子を開閉自在に設けた開き窓において、前記障子の下面又は上面における吊元側端部に第１アームの一端部を回動自在に連結し、その第１アームの他端部に連結された第２アームの端部を窓枠に回動自在に連結し、上記第１アームと第２アームの連結中心から障子および窓枠に対する各アームの連結中心までの長さを等しくし、上記アーム同士の連結部に摩擦抵抗を付与し、第１アームと第２アームの一方に、アーム同士の連結部からアームの長さ方向に延びる延長端部を設け、その延長端部に他方のアームに対する当接によって第１アームと第２アームの開閉角を制限するストッパを設け、全開した状態の障子が全閉位置近傍の制動開始位置に戻された際に第２アームを停止させるストッパを上記窓枠に設けたことを特徴とする開き窓。
【発明の詳細な説明】
【０００１】
【発明の属する技術分野】
この発明は、窓枠の開口を開閉する障子の開放角度を所定の角度に制限する共に、任意の開放位置で停止保持することができる窓の開き止め用アームに関するものである。
【０００２】
【従来の技術】
窓枠にヒンジを介して障子を開閉自在に取付け、その障子を任意の開放位置で停止保持できるようにした窓の開き止め具として、実公平４−５４２９１号公報あるいは特開平８−８２１４２号公報に記載されたものが従来から知られている。
【０００３】
上記公報に記載された窓の開き止め具においては、障子の下面にレールを取付け、そのレールに沿ってスライド自在に連結されたスライダにアームの一端部を連結し、アームの他端部を窓枠の下枠上面に回動自在に連結し、上記障子の開閉時にレールに沿ってスライダをスライドさせ、そのスライダとレールの接触部間に付与された摩擦抵抗によって障子を開放位置で停止保持させるようにしている。
【０００４】
【発明が解決しようとする課題】
ところで、上記窓の開き止め具においては、障子を閉じた状態でアームとレールは略平行し、障子を開けることによってアームとレールは相対的に傾きをもつため、レールに沿ってスライダを移動させる力は、障子の開き始めに大きく、障子が開放するにつれて次第に小さくなる。
【０００５】
このため、障子の開閉抵抗は障子の開閉角度に応じて一定ではなく、障子の開き始めにおける開閉抵抗は小さく、開き角度が大きくなるに従って大きくなる。
【０００６】
したがって、障子を閉じる場合に、障子を強く引くと、窓枠に衝撃的に当り、窓ガラスを破損させる危険がある。
【０００７】
この発明の課題は、障子を閉鎖位置に戻す際に、障子が窓枠に衝撃的に当接するのを防止することができる開き窓を提供することである。
【０００８】
【課題を解決するための手段】
上記の課題を解決するために、この発明においては、窓枠に取付けたヒンジを中心として障子を開閉自在に設けた開き窓において、前記障子の下面又は上面における吊元側端部に第１アームの一端部を回動自在に連結し、その第１アームの他端部に連結された第２アームの端部を窓枠に回動自在に連結し、上記第１アームと第２アームの連結中心から障子および窓枠に対する各アームの連結中心までの長さを等しくし、上記アーム同士の連結部に摩擦抵抗を付与し、第１アームと第２アームの一方に、アーム同士の連結部からアームの長さ方向に延びる延長端部を設け、その延長端部に他方のアームに対する当接によって第１アームと第２アームの開閉角を制限するストッパを設け、全開した状態の障子が全閉位置近傍の制動開始位置に戻された際に第２アームを停止させるストッパを上記窓枠に設けた構成を採用している。
【０００９】
上記のように構成すれば、障子を閉じる方向に回転すると、閉鎖位置の近くにおいて、ストッパに対する当接によって窓枠側アームが停止し、その位置から障子が閉鎖位置に戻されると、障子側アームと障子の連結部の中心が、ヒンジおよびアーム同士の連結部をそれぞれ中心として円弧状に移動し、二つの揺動軌跡が互に干渉する。
【００１０】
その結果、障子に制動力が付与され、障子はゆっくりと閉鎖位置に戻される。
【００１１】
【発明の実施の形態】
以下、この発明の実施の形態を図面に基づいて説明する。
【００１２】
図１に示すように、窓枠１の縦枠２にはヒンジ３が取付けられ、そのヒンジ３を中心にして障子４が開閉自在に支持されている。
【００１３】
窓枠１の内周には、屋外側と屋内側に上記障子４を受ける第１戸当り面５および第２戸当り面６が設けられ、障子４には上記第１戸当り面５と対向する位置に弾性シール７が取付けられている。一方、第２戸当り面６には障子４の内面外周に対して当接可能な弾性シール８が取付けられている。
【００１４】
障子４の下面における吊元側の端部には連結片９が取付けられ、その連結片９に第１アーム１０の一端部がピン１１を介して回動自在に連結されている。
【００１５】
第１アーム１０の他端部には第２アーム１２が連結ピン１３を介して閉鎖自在に連結されている。
【００１６】
図３は第１アーム１０と第２アーム１２の連結部の詳細を示す。上記両アーム１０、１２間にはナイロン等から成る合成樹脂製のワッシャ１４が組込まれている。また、連結ピン１３の頭部１３ａと第１アーム１０との間には皿ばね１５が組込まれている。皿ばね１５は上記連結ピン１３の先端の加締めによって扁平に変形し、その復元弾性によってワッシャ１４と各アーム１０、１２の接触部間に大きな摩擦抵抗を付与している。
【００１７】
図１に示すように、第２アーム１２の端部は、窓枠１の下枠に取付けられた連結片１６にピン１７を介して回動自在に連結されている。
【００１８】
ここで、連結ピン１３の中心から第２アーム１２と窓枠１の連結中心までの長さＬ1 は、連結ピン１３から第１アーム１０と障子４の連結中心までの長さＬ2 に等しくなっている。また、これらの長さＬ1 、Ｌ2 は、ヒンジ３の中心から第１アーム１０と障子４の連結中心までの長さＬ3 より短かくなっている。
【００１９】
第２アーム１２には、第１アーム１０に対する連結部側の端部にアームの長さ方向に延びる延長端部１８が設けられ、その延長端部１８にストッパ１９が設けられている。ストッパ１９は第１アーム１０に対する当接によって第１アーム１０と第２アーム１２の開放角度を制限する。
【００２０】
障子４は、開放位置から閉鎖位置の近くまで戻された位置（図１の鎖線（イ）で示す位置）が制動開始位置とされている。実施の形態では、障子４の開放角度が略１２°程度の位置を制動開始位置とされ、その制動開始位置まで障子４が戻されたとき、第２戸当り面６に第２アーム１２が当接して第２アーム１２の屋内方向への揺動を阻止し、上記第２戸当り面６はストッパを兼用している。このため、以後の説明では、第２戸当り面をストッパ６という。
【００２１】
実施の形態で示す開き窓は上記の構造から成り、図１は障子４を全開した状態を示す。その状態から障子４を閉じる方向に戻すと、障子４の揺動に連動して第１アーム１０と第２アーム１２が相対的に閉じる方向に揺動する。
【００２２】
このとき、第１アーム１０と第２アーム１２の連結部には大きな摩擦抵抗が付与され、その摩擦抵抗は障子４の開閉抵抗として作用するため、障子４から手を離すことにより、障子４を任意の位置で停止保持することができる。
【００２３】
図４に示すように、障子４が制動開始位置まで戻されると、第２アーム１２はストッパ６に当接して屋内方向に揺動されるのが防止される。その状態から障子４を閉鎖位置に戻すと、障子４と第１アーム１０とを連結するピン１１の中心が、ヒンジ３および連結ピン１３をそれぞれ中心として揺動する。
【００２４】
図４において、ｘは、ピン１１がヒンジ３を中心として揺動する場合の軌跡を示し、また、ｙはピン１１が連結ピン１３を中心として揺動する場合の軌跡を示す。これらの軌跡ｘ、ｙは互に干渉するため、制動開始位置から図５に示す全閉の位置まで障子４を戻す際、障子４に制動力が付与される。
【００２５】
このため、障子４が窓枠１の第１戸当り面５およびストッパ６に衝撃的に当接することがなく、窓ガラスが破損するのを防止することができる。
【００２６】
なお、実施の形態においては、障子４の下面に第１アーム１０を連結し、第２アーム１２を窓枠１の下枠に連結したが、障子４の上面に第１アーム１０を連結し、窓枠１の上枠に第２アーム１２を連結してもよい。
【００２７】
また、皿ばね１５を用いて第１アーム１０と第２アーム１２の連結部間に摩擦抵抗を付与したが、皿ばね１５に代えてスプリングあるいはゴム等の弾性体を用いるようにしてもよい。
【００２８】
【発明の効果】
以上のように、この発明においては、障子を閉鎖位置に戻すと、その閉鎖位置の少し手前の位置において第２アームがストッパに当接して停止状態に保持され、その位置から障子が閉じる位置まで戻される範囲において障子に対する第１アームの連結中心は第２アームに対する連結位置とヒンジのそれぞれを中心として揺動し、その揺動軌跡は互に干渉し合うため、障子に制動力を付与することができる。
【００２９】
このため、障子が閉鎖位置に向けて急激に引き戻されても窓枠に衝撃的に当接することがなく、窓ガラス等の破損を防止することができる。
【図面の簡単な説明】
【図１】この発明に係る窓枠の実施の形態を示す横断平面図
【図２】同上の第１アームと第２アームとを示す斜視図
【図３】同上の第１アームと第２アームの連結部を示す断面図
【図４】同上の障子を制動開始位置まで戻した状態の横断平面図
【図５】同上の障子を閉鎖位置に戻した状態の横断平面図
【符号の説明】
１  窓枠
３  ヒンジ
４  障子
６  ストッパ
１０  第１アーム
１２  第２アーム
１８  延長端部
１９  ストッパ
【図１】
0003816188.tif 000002
【図２】
0003816188.tif 000003
【図３】
0003816188.tif 000004
【図４】
0003816188.tif 000005
【図５】
0003816188.tif 000006